(57)【要約】【課題】ふくらはぎの筋肉やアキレス腱及び腰椎を支持補助し、歩行補助、姿勢の矯正、腰痛緩和などに効果のある支持帯の提供。【解決手段】伸縮性が良く、肌に馴染みの良いウレタンフォーム等の基材を使用し、筋、腱、椎を支持補助するもので、使用者が自分に合ったテンションを決められることを特徴とする。【選択図】図１
0003124329.tif 000002
【実用新案登録請求の範囲】
【請求項１】
幅５ｃｍ程度の伸縮性のある帯状基材で作られた環状帯（０１），（０２），（０４），（０５）と、それらを繋いだ帯状のもの（０３），（０６）からなる筋、腱、椎の支持補助具。
【請求項２】
膝の下に巻いた環状帯（０１）と、足の甲に巻いた環状帯（０２）及びふくらはぎから踵に沿ってそれら環状帯に繋いだ帯状のもの（０３）からなる、ふくらはぎとアキレス腱の支持補助具
【請求項３】
胸部に巻いた環状帯（０４）と、腹部に巻いた環状帯（０５）及び脊椎に沿ってそれら環状帯に繋いだ帯状のもの（０６）からなる、腰椎と背筋の支持補助具。
【請求項４】
「請求項３」の（０４）及び（０５）の代替として、ブラジャー及びガードルがその機能を果たし得るため、ブラジャーの背面（１１）中央部と、ガードルの背面（１２）中央上部を脊椎に沿って繋いた帯状のもの（１３）からなる、腰椎と背筋の支持補助具。
【考案の詳細な説明】
【技術分野】
【０００１】本考案は、上下二つの環状帯に繋いだ伸縮性のある帯状のもので、ふくらはぎや腰椎を支持補助する用具で、歩行支援、姿勢の矯正及び腰痛防止、軽減を狙ったものである。
【背景技術】
【０００２】高齢者やリハビリを必要とする人達は普段歩くことが少なく、下肢の筋肉や背筋に運動負荷をかけることが少ない為、歩行困難や猫背、腰痛になり易い。
【考案の開示】
【考案が解決しようとする課題】
【０００３】かかとを持ち上げる働きは下腿部後面のふくらはぎの筋肉とアキレス腱が関与している。
また、脊椎は重い頭を支え、バネの働きをしている。脊椎の中でも腰椎は最も負荷がかかる部位であり、背筋は腰椎のサポートをしている。
本考案の課題は、本格的な歩行器具や脊椎矯正器具を使用することなく、簡便且つ安価に筋、腱、椎を支持補助することにある。【０００４】本考案に使われる基材は、伸縮性、耐久性、ウオッシャブル性があり、尚且つ肌ざわりの良さと肌のかぶれが起り難いウレタンフォーム等の素材でなければならない。
【課題を解決するための手段】
【０００５】本考案は、膝下部に巻いた環状帯と足の甲に巻いた環状帯に、伸縮性のある帯状のものを、ふくらはぎから踵に沿って繋いだものである。【０００６】本考案は、胸部に巻いた環状帯或いはブラジャーの背面中央部と腹部に巻いた環状帯或いはガードルの背面上部に伸縮性のある帯状のものを、脊椎に沿って繋いだものである。【０００７】本考案は、誰にでも簡単に装着できるよう考案したもので、環状帯を形成する際は、使用者が自分に合った適度な締め付けができるよう、また、筋、腱、椎の支持補助帯の長さ調節についても、使用者が自分に合った適度な張力が得られるよう面ファスナーで調節する。
【考案の効果】
【０００８】本考案のふくらはぎ筋肉及びアキレス腱支持補助具を脚部に装着することにより、歩行の際伸縮性のある帯状のものがかかとを持ち上げる動きを助ける効果がある。【０００９】本考案の腰椎支持補助具を体幹に装着することにより、姿勢の矯正と腰痛防止、軽減に効果がある。
【考案を実施するための最良の形態】
【００１０】  個人個人の脚部や体幹の大きさ、長さにフィットするよう図２の中間体を提供し、図１のように使用者自身が装着する。
【実施例】
【００１１】本考案について、以下図面に基づいて説明する。
図１は、使用者が実際に装着した状態を示す。
図１の０１は膝下部に巻いた環状帯。０２は足の甲に巻いた環状帯。０３は両者を繋いだ帯状のもの。
図１の０４は胸部に巻いた環状帯。０５は腰部に巻いた環状帯。０６は両者を繋いだ帯状のもの。
図２は、環状帯となる帯と、環状帯に事前に取り付けた帯の中間体
図２の０７は事前に接着した箇所。０８，０９、１０は面ファスナー取り付け部で、ファスナーの留める位置で張力を調節する。
図３は図２の中間体の帯を環状帯にして装着した様子。
図４は、女性が身につけるブラジャー（１１）の背面中央部とガードル（１２）の背面中央上部とを帯状のもの（１３）で繋げ、両者を面ファスナー等で留めた状態。
【産業上の利用可能性】
【００１２】老化防止には筋、腱、椎への適度な運動負荷が必要だが、高齢化社会を迎え、肥満や運動不足で歩行困難や腰痛を訴える患者が増加傾向にある。本考案は日常生活の中で誰にでも手軽に使用できる下肢の筋、腱支持補助具と姿勢の矯正及び腰痛防止、軽減補助具で、簡便且つ安価な方法であり、結果医療費の抑制に役立つ。
【図面の簡単な説明】
【００１３】
【図１】人体に装着した背面図
【図２】使用者に提供する中間体を裏側から見た背面図
【図３】環状帯に留めた状態の正面図
【図４】ブラジャーとガードルに帯状のものを留めた状態の背面図
【符号の説明】
【００１４】０１  膝下部に巻いた環状帯
０２  足の甲に巻いた環状帯
０３  膝下と足の甲に巻いた環状帯に繋げた帯状のもの
０４  胸部に巻いた環状帯
０５  腰部に巻いた環状帯
０６  胸部と腰部に巻いた環状帯に繋げた帯状のもの
０７  環状帯に事前に接着させた箇所
０８〜１０  面ファスナー取り付け部
１１  ブラジャーの背面
１２  ガードルの背面
１３  ブラジャーとガードルに繋げた帯状のもの
【図１】
0003124329.tif 000003
【図２】
0003124329.tif 000004
【図３】
0003124329.tif 000005
【図４】
0003124329.tif 000006
【手続補正書】
【提出日】平成18年5月17日(2006.5.17)
【手続補正１】
【補正対象書類名】実用新案登録請求の範囲
【補正対象項目名】全文
【補正方法】変更
【補正の内容】
【実用新案登録請求の範囲】
【請求項１】
膝下部に巻いた幅５ｃｍ程度の伸縮性のある布又はゴム製環状帯（０１）と、足の甲から土踏まずに巻いた同素材による環状帯（０２）及びふくらはぎから踵に沿ってそれら環状帯に繋いだ帯状のもの（０３）からなる、ふくらはぎとアキレス腱を支持することによる簡易な歩行補助具。
【手続補正２】
【補正対象書類名】明細書
【補正対象項目名】全文
【補正方法】変更
【補正の内容】
【考案の詳細な説明】
【技術分野】
【０００１】本考案は、膝下部と足の甲から土踏まずに巻いた環状帯とそれらに繋いだ帯状のものからなる、ふくらはぎとアキレス腱を支持補助する用具で、歩行支援を狙ったものである。
【背景技術】
【０００２】高齢者やリハビリを必要とする人達は普段歩くことが少なく、下肢の筋肉に運動負荷をかけることが少ない為、歩行困難になり易い。
【考案が解決しようとする課題】
【０００３】踵を持ち上げる働きは下腿部後面のふくらはぎの筋肉とアキレス腱が関与している。本考案の課題は、本格的な歩行器具を使用することなく、簡便且つ安価に下肢の筋や腱を支持補助することにある。
【０００４】本考案に使われる基材は、伸縮性、耐久性、ウオッシャブル性があり、尚且つ肌ざわりの良さと肌のかぶれが起り難いウレタンフォーム等の素材でなければならない。
【課題を解決するための手段】
【０００５】本考案は、膝下部に巻いた環状帯と足の甲に巻いた環状帯に、伸縮性のある帯状のものを、ふくらはぎから踵に沿って繋いだものである。
【０００６】本考案は、靴下を履く動作と同じで、まず足の甲と土踏まずに環状帯を通し、次に帯を踵とアキレス腱に沿わせ、膝下で環状帯を巻き付ける。その際使用者が自分に合った締め付けができるよう面ファスナーで調節できる仕様とする。
【考案の効果】
【０００７】本考案のふくらはぎ筋肉及びアキレス腱支持補助具を脚部に装着することにより、歩行の際伸縮性のある帯状のものがかかとを持ち上げる動きを助ける効果がある。
【考案を実施するための最適な形態】
【０００８】個人個人の脚部の大きさ、長さにフィットするよう図３の中間体を提供し、図１及び図２のように使用者自身が装着する。
【実施例】
【０００９】本考案について、以下の図面に基づいて説明する。
図１及び図２は、使用者が実際に装着した状態を示す。
図１及び図２の０１は膝下部に巻いた環状帯。０２は足の甲から土踏まずに巻いた環状帯。  ０３はそれらを繋いだ帯状のもの。
図３は、実際に装着する前の状態を示すもので、膝下部環状帯となる帯と、足の甲部環状帯にふくらはぎから踵に沿って繋ぐ帯を事前に取り付けた中間体。膝下部環状帯の０４は、足の甲部環状帯とふくらはぎとアキレス腱に沿う帯を事前に繋げておく箇所。
０５，０６，０７，０８は面ファスナー取り付け部で、ファスナーを留める位置で張力を調節する。
【産業上の利用可能性】
【００１０】老化防止には適度な運動負荷が必要だが、高齢化社会を迎え、肥満や運動不足で歩行困難を訴える患者が増加傾向にある。本考案は日常生活の中で誰にでも手軽に使用でき、下肢の筋、腱を支持することによる簡便且つ安価な歩行補助具であり、結果医療費の抑制に役立つ。
【図面の簡単な説明】
【００１１】
【図１】下肢に装着した背面図
【図２】下肢に装着した側面図
【図３】使用者に提供する中間体を裏側からみた背面図
【符号の説明】
【００１２】０１  膝下部に巻いた環状帯
０２  足の甲から土踏まずに巻いた環状帯
０３  膝下部と足の甲から土踏まずに巻いた環状帯に繋げた帯状のもの
０４  足の甲環状帯にふくらはぎとアキレス腱に沿う帯を事前に繋げた箇所
０５，０６  ふくらはぎとアキレス腱に沿う帯を膝下部環状帯となる帯に繋げる為の面ファスナー取り付け箇所
０７，０８  膝下部環状帯を形成する為の面ファスナー取り付け箇所
【手続補正３】
【補正対象書類名】図面
【補正対象項目名】図３
【補正方法】変更
【補正の内容】
【図３】
0003124329.tif 000007